(57)【要約】【課題】本考案は、ねじ込み式ランプと差し込み式ランプ間の変換を可能とするランプ口金変換ソケットを提供するものである。【解決手段】本考案に係るランプ口金変換ソケットは、口金部としてねじ込み式の電極部を有するねじ込み式ランプがねじ込まれるねじ込み式ソケット４に対してねじ込み装着するねじ電極１３及び端部電極１４を備えたねじ込み口金部１１と、このねじ込み口金部１１と一体化されるとともに、ねじ込み口金部１１とは反対側に開口するランプ受穴１５内に口金部として差し込み式の２ピン型の電極部を有する差し込み式ランプが差し込み可能な２個の電極受体１６、１７を固定配置に備え、一方の電極受体１６を前記ねじ電極１３に、他方の電極受体１７を前記端部電極１４に接続したソケット本体１２と、を有するものである。【選択図】図４
0003131129.tif 000002
【実用新案登録請求の範囲】
【請求項１】
口金部としてねじ込み式の電極部を有するねじ込み式ランプがねじ込まれるねじ込み式ソケットに対してねじ込み装着するねじ込み口金部と、
このねじ込み口金部と一体化され、当該ねじ込み口金部とは反対側に開口するランプ受穴内に口金部として差し込み式の電極部を有する差し込み式ランプが差し込み可能なソケット本体と、
を有することを特徴とするランプ口金変換ソケット。
【請求項２】
口金部としてねじ込み式の電極部を有するねじ込み式ランプがねじ込まれるねじ込み式ソケットに対してねじ込み装着するねじ電極及び端部電極を備えたねじ込み口金部と、
このねじ込み口金部と一体化されるとともに、当該ねじ込み口金部とは反対側に開口するランプ受穴内に口金部として差し込み式の２ピン型の電極部を有する差し込み式ランプが差し込み可能な２個の電極受体を固定配置に備え、一方の電極受体を前記ねじ電極に接続し、他方の電極受体を前記端部電極に接続したソケット本体と、
を有することを特徴とするランプ口金変換ソケット。
【請求項３】
口金部としてねじ込み式の電極部を有するねじ込み式ランプがねじ込まれるねじ込み式ソケットに対してねじ込み装着するねじ電極及び端部電極を絶縁基体の一端側に備えたねじ込み口金部と、
このねじ込み口金部と前記絶縁基体により一体化されるとともに、当該ねじ込み口金部とは反対側に開口するランプ受穴内に口金部として差し込み式の２ピン型の電極部を有する差し込み式ランプが差し込み可能な２個の電極受体を固定配置に備え、一方の電極受体を前記ねじ電極に接続し、他方の電極受体を前記端部電極に接続したソケット本体と、
を有することを特徴とするランプ口金変換ソケット。
【請求項４】
口金部として差し込み式の電極部を有する差し込み式ランプが差し込まれる差し込み式ソケットに対して差し込み装着する差し込み口金部と、
この差し込み口金部と一体化され、当該差し込み口金部とは反対側に開口するランプ受穴内に前記差し込み式ランプとは異なるサイズの差し込み式の電極部を有する差し込み式ランプが差し込み可能なソケット本体と、
を有することを特徴とするランプ口金変換ソケット。
【請求項５】
口金部として２ピン型で差し込み式の電極部を有する差し込み式ランプが差し込まれる差し込み式ソケットに対して差し込み装着する２ピン型の電極部を備えた差し込み口金部と、
この差し込み口金部と一体化され、当該差し込み口金部とは反対側に開口するランプ受穴内に前記差し込み式ランプとは異なるサイズの２ピン型で差し込み式の電極部を有する差し込み式ランプが差し込み可能な２個の電極受体を固定配置に備え、各電極受体を前記差し込み口金部の２ピン型の電極部に各々接続したソケット本体と、
を有することを特徴とするランプ口金変換ソケット。
【請求項６】
口金部として２ピン型で差し込み式の電極部を有する式ランプが差し込まれる差し込み式ソケットに対して差し込み装着する２ピン型の電極部を絶縁基体の一端側に備えた差し込み口金部と、
この差し込み口金部と前記絶縁基体により一体化され、当該差し込み口金部とは反対側に開口するランプ受穴内に前記差し込み式ランプとは異なるサイズの２ピン型で、差し込み式の電極部を有する差し込み式ランプが差し込み可能な２個の電極受体を固定配置に備え、各電極受体を前記差し込み口金部の２ピン型の電極部に各々接続したソケット本体と、
を有することを特徴とするランプ口金変換ソケット。
【請求項７】
口金部としてねじ込み式の電極部を有するねじ込み式ランプがねじ込まれるねじ込み式ソケットに対してねじ込み装着するねじ込み口金部と、
このねじ込み口金部と一体化され、当該ねじ込み口金部とは反対側に開口するランプ受穴内に口金部として捻回式の電極部を有する捻回式ランプが差し込み装着可能なソケット本体と、
を有することを特徴とするランプ口金変換ソケット。
【請求項８】
口金部としてねじ込み式の電極部を有するねじ込み式ランプがねじ込まれるねじ込み式ソケットに対してねじ込み装着するねじ電極及び端部電極を備えたねじ込み口金部と、
このねじ込み口金部と一体化され、当該ねじ込み口金部とは反対側に開口するランプ受穴内に、口金部としてランプ本体から突出させた棒状体に一対の突出電極を配置した捻回式の電極部を有する捻回式ランプが差し込み装着可能な一対の電極受体を固定配置に備え、各電極受体を前記ねじ電極、端部電極に各々接続したソケット本体と、
を有することを特徴とするランプ口金変換ソケット。
【請求項９】
口金部としてねじ込み式の電極部を有するねじ込み式ランプがねじ込まれるねじ込み式ソケットに対してねじ込み装着するねじ電極及び端部電極を絶縁基体の一端側に備えたねじ込み口金部と、
このねじ込み口金部と前記絶縁基体により一体化され、当該ねじ込み口金部とは反対側に開口するランプ受穴内に、口金部としてランプ本体から突出させた棒状体に一対の突出電極を配置した捻回式の電極部を有する捻回式ランプが差し込み装着可能な一対の電極受体を固定配置に備え、各電極受体を前記ねじ電極、端部電極に各々接続したソケット本体と、
を有することを特徴とするランプ口金変換ソケット。
【考案の詳細な説明】
【技術分野】
【０００１】
本考案は、ランプ口金変換ソケットに関し、詳しくは、異なる口金構造のランプ間の変換範囲の拡大を図り、また、同種の口金構造を有し異なるサイズのランプ間の互換性を高めたランプ口金変換ソケットに関するものである。
【背景技術】
【０００２】
例えば、デパート、商店等々においては、各種商品の売場等の照明効果を高めるために、各種口金構造を有し光質、光色の異なる各種ランプが使用されている。
そして、各種ランプの口金構造としては、ねじ込み式、差し込み式、捻回式等があり、各々の口金構造に対応したランプソケットを使用してこれらを点灯して各種商品の照明に供している。
【０００３】
しかし、ねじ込み式ランプと差し込み式ランプ間、ねじ込み式ランプと捻回式ランプ間の変換を可能とするランプ口金変換ソケット、更には、異なるサイズを有する差し込み式ランプ相互間を互換可能とするランプ口金変換ソケットが存在しないのが実情である。
【０００４】
特許文献１には、ねじ込み口金部と、片持ち装着ランプの口金に対応する口金とを一体化させた片持ち装着ランプ用ソケットアダプタが提案されている。しかし、この特許文献１の場合も、その用途が極めて限定されたものであり、汎用されているねじ込み式ランプと差し込み式ランプ間、ねじ込み式ランプと捻回式ランプ間等の変換範囲の拡大を図り得るものではない。
【特許文献１】特開平８−００７６３９号公報
【考案の開示】
【考案が解決しようとする課題】
【０００５】
本考案が解決しようとする問題点は、汎用されているねじ込み式ランプと差し込み式ランプ間、ねじ込み式ランプと捻回式ランプ間の変換を可能とするランプ口金変換ソケット、更には、異なるサイズを有する差し込み式ランプ相互間を互換可能とするランプ口金変換ソケットが存在しない点である。
【課題を解決するための手段】
【０００６】
本考案のランプ口金変換ソケットは、口金部としてねじ込み式の電極部を有するねじ込み式ランプがねじ込まれるねじ込み式ソケットに対してねじ込み装着するねじ込み口金部と、このねじ込み口金部と一体化され、ねじ込み口金部とは反対側に開口するランプ受穴内に口金部として差し込み式の電極部を有する差し込み式ランプが差し込み可能なソケット本体と、を有することを最も主要な特徴とする。
【考案の効果】
【０００７】
請求項１乃至３記載の考案によれば、ねじ込み式ランプ用のねじ込み式ソケットに対してこのランプ口金変換ソケットをねじ込み装着するとともに、ランプ口金変換ソケットのランプ受穴内に差し込み式ランプを装着し、ねじ込み式ソケットに給電することで、差し込み式ランプを点灯させることができ、これにより、ねじ込み式ソケットを差し込み式ランプ用のソケットに変換することができるランプ口金変換ソケット１を提供できる。
【０００８】
また、請求項１乃至３記載の考案によれば、種々のワット数の差し込み式ランプを使用することができ照度アップも容易であり、更には、ランプ関連部品の購入費用の低廉化、廃棄処理時のランプ関連部品の分別の簡略化、廃棄費用の低廉化、環境保全への貢献を図ることもできるランプ口金変換ソケットを提供できる。
【０００９】
請求項４乃至６記載の考案によれば、差し込み式ソケットにこのランプ口金変換ソケットを差し込み、ランプ受け穴に差し込み式ランプを装着し、差し込み式ソケットに給電することで、ランプ口金変換ソケットに差し込んだ差し込み式ランプを点灯させることができ、これにより、差し込み式ソケットを異なるワット数（異なるサイズ）の差し込み式ランプ用のソケットに変換することができるランプ口金変換ソケットを提供できる。
【００１０】
また、請求項４乃至６記載の考案によれば、ランプ口金変換ソケットに差し込む差し込み式ランプの発光部が元の差し込み式ランプよりも小さくなり、照明対象箇所の光学設計を変化させる場合に好適であり、更に、差し込み式ランプの光量変更、光色変更等も容易に実現できるランプ口金変換ソケットを提供できる。
【００１１】
請求項７乃至９記載の考案によれば、ねじ込み式ソケットに対して、このランプ口金変換ソケットをねじ込み装着し、更にランプ口金変換ソケットに対して捻回式ランプを差し込み装着し、ねじ込み式ソケットに給電することで、捻回式ランプを点灯させることができ、これにより、ねじ込み式ソケットを捻回式ランプ用のソケットに変換することができるランプ口金変換ソケットを提供できる。
【００１２】
また、請求項７乃至９記載の考案によれば、ランプ口金変換ソケットを用いてねじ込み式ソケットを捻回式ランプ用のソケットに変換することで、口金タイプの異なる捻回式ランプを点灯使用することで電力消費を低減しつつ照度アップを図ることが可能となり、逆に同じ照度を得ようとする場合には捻回式ランプをより小サイズのものとすることができるランプ口金変換ソケットを提供できる。
【考案を実施するための最良の形態】
【００１３】
本考案は、汎用されているねじ込み式ランプと差し込み式ランプ間の変換を可能とするランプ口金変換ソケットを提供するという目的を、口金部としてねじ込み式の電極部を有するねじ込み式ランプがねじ込まれるねじ込み式ソケットに対してねじ込み装着するねじ電極及び端部電極を備えたねじ込み口金部と、このねじ込み口金部と一体化されるとともに、ねじ込み口金部とは反対側に開口するランプ受穴内に口金部として差し込み式の２ピン型の電極部を有する差し込み式ランプが差し込み可能な２個の電極受体を固定配置に備え、一方の電極受体を前記ねじ電極に、他方の電極受体を前記端部電極にコンパクト部品で接続したソケット本体と、を有する構成により実現した。
【実施例】
【００１４】
以下に、本考案の実施例に係るランプ口金変換ソケットについて図面を参照して詳細に説明する。
【００１５】
（実施例１）
図１乃至図４を参照して本考案の実施例１に係るランプ口金変換ソケット１について説明する。
本実施例１に係るランプ口金変換ソケット１は、図示しないハロゲンランプ等のようなねじ込み式ランプ（Ｅ型口金ランプ）と差し込み式ランプ（Ｇ型口金ランプ）２間の変換を可能とするものであって、ねじ込み口金部１１と、このねじ込み口金部１１と一体化したソケット本体１２とを、略２段円筒状のセラミック等からなる絶縁基体１０を主要素として用い構成している。
【００１６】
すなわち、本実施例１に係るランプ口金変換ソケット１は、口金部としてねじ込み式の電極部を有するねじ込み式ランプがねじ込まれるねじ込み式ソケット４に対してねじ込み装着する導電材からなるねじ電極１３及び端部電極１４を備えたねじ込み口金部１１を図２において下部側に具備している。なお、図１中、５、６は、ねじ込み式ソケット４に給電する通電ケーブルである。また、図２の左欄は、同右欄とは異なる形状のランプ２を示すものである。
【００１７】
また、本実施例１に係るランプ口金変換ソケット１のソケット本体１２は、前記ねじ込み口金部１１の上部側において一体的に、かつ、ねじ込み口金部１１より大径に形成されるとともに、前記ねじ込み口金部１１とは反対側に開口する差し込み式ランプ２の形状に対応した形状のランプ受穴１５内に、口金部として差し込み式の２ピン型の電極部３ａ、３ｂを有する差し込み式ランプ２が差し込み可能な２個のピン孔１６ａ、１７ａを設けた導電材からなり接点である電極受体１６、１７に固定配置し、図４に示すように、一方の電極受体１６を前記ねじ電極１３に接続線１８を用い半田付け等で接続し、他方の電極受体１７を前記端部電極１４に接続線１９を用い半田付け等で接続している。
前記電極受体１６、１７の構造は一例であり種々の変形が可能である。
【００１８】
本実施例１に係るランプ口金変換ソケット１によれば、ねじ込み式ランプ用のねじ込み式ソケット４に対してこのランプ口金変換ソケット１をねじ込み装着するとともに、前記ランプ口金変換ソケット１のランプ受穴１５内に差し込み式ランプ２を装着し、２ピン型の電極部３ａ、３ｂを前記電極受体１６、１７を差し込んで、この状態で前記通電ケーブル５、６を経てねじ込み式ソケット４に給電することで、ランプ口金変換ソケット１に差し込んだ前記差し込み式ランプ２を点灯させることができる。
すなわち、ねじ込み式ソケット４をランプ口金変換ソケット１を用いることによって差し込み式ランプ２用のソケットに変換することができる。
【００１９】
一般に、あるワット数のねじ込み式ランプを異なるワット数のねじ込み式ランプに変換する図示しないセラミック等を用いたねじ込み式口金変換ソケットを使用する場合に、ワット数の変化で電球サイズも変化することから照度アップを図ることが困難であるが、本実施例のランプ口金変換ソケット１によれば、ランプ口金変換ソケット１を用いることで種々のワット数の差し込み式ランプ２を使用することができ、照度アップも容易に図ることが可能となる。
【００２０】
この場合に、ランプ口金変換ソケット１を用いることで、セラミック等を用いたねじ込み式口金変換ソケットが不要となり、ランプ関連部品の購入費用の低廉化、廃棄処理時におけるランプ関連部品の分別の簡略化、廃棄費用の低廉化、更には環境保全への貢献を図ることもできる。
【００２１】
（実施例２）
図５乃至図９を参照して本考案の実施例２に係るランプ口金変換ソケット２１について説明する。
【００２２】
本実施例２に係るランプ口金変換ソケット２１は、図５に示すように、差し込み式ランプ２２用の差し込み式ソケット２３を、異なるワット数（異なるサイズ）の差し込み式ランプ２２用の差し込み式ソケットに変換するものであり、全体としてセラミック等からなる絶縁基体４０を主要素として用い形成している。
なお、図５においては、ランプ口金変換ソケット２１に差し込まれる小サイズの差し込み式ランプ２２のみを示している。差し込み式ランプ２２は、図示しないが２ピン型の電極部を有している。
【００２３】
すなわち、このランプ口金変換ソケット２１は、図８、図９に示すように、その下部側に絶縁基体４０から真っすぐ下方に突出させた２ピン型の電極部３２ａ、３２ｂを備えた差し込み口金部３１を有する下部ソケット３３を設けている。
【００２４】
また、前記口金部３１の上側には、前記差し込み口金部３１を設けた下部ソケット３３と重合したソケット本体３４を備え、このソケット本体３４と下部ソケット３３とを図６、図７に示すように一対のボルト３５、一対のナット３６を用いて一体化するように締結している。
【００２５】
前記ソケット本体３４には、図６、図８及び図９に示すように、前記差し込み口金部３１とは反対側に開口する略角形状で差し込み式ランプ２２の形状に対応するランプ受穴３７を設け、このランプ受穴３７内には前記差し込み式ランプ２２が差し込み可能な２個の接点である電極受体３８を前記ソケット本体３４に設けた凹部に位置し、かつ、前記差し込み式ランプ２２の電極部に対応する状態で固定配置している。
すなわち、前記差し込み式ランプ２２の２ピン型の電極部は、ランプ受穴３７の底部に設けた一対のテーパ状の誘導孔３９を経て前記凹部内に至り前記電極受体３８に差し込まれるようになっている。
【００２６】
また、前記電極受体３８は、ソケット本体３４の凹部内に配置したコイルバネ４２により差し込み式ランプ２２の電極部側に付勢されて接触するようになっている。更に、前記電極受体３８と前記電極部３２ａ、３２ｂとを接触させている。
【００２７】
なお、図５中、２７は差し込み式ソケット２３に設けたランプ口金変換ソケット２１を抑え込む抑えバネ片、２５、２６は下部ソケット３３から導出した通電ケーブル、４１はランプ口金変換ソケット２１に設けた前記抑えバネ片２７と係合する受凹部である。
【００２８】
本実施例２に係るランプ口金変換ソケット２１によれば、前記差し込み式ソケット２３にこのランプ口金変換ソケット２１を差し込み、更に、前記ランプ受穴３７に差し込み式ランプ２２を装着し、電極部３２ａ、３２ｂを前記電極受体３８に差し込んで、この状態で前記通電ケーブル２５、２６を経て差し込み式ソケット２３に給電することで、ランプ口金変換ソケット２１に差し込んだ前記差し込み式ランプ２２を点灯させることができる。
【００２９】
すなわち、差し込み式ソケット２３をランプ口金変換ソケット２１を用いることによって異なるワット数（異なるサイズ）の差し込み式ランプ２２用のソケットに変換することができる。
【００３０】
この場合に、ランプ口金変換ソケット２１に差し込んだ前記差し込み式ランプ２２は、差し込み式ソケット２３自体に差し込む差し込み式ランプ（図示せず）よりも小サイズであることから、差し込み式ランプ２２の発光部も差し込み式ランプ（図示せず）よりも小さくなり、照明対象箇所の光学設計を変化させる場合に好適となる。
【００３１】
また、差し込み式ランプ２２の口金サイズの変換を容易に行なうことができ、差し込み式ランプ２２の光量変更、光色変更等も容易となる。
【００３２】
（実施例３）
図１０乃至図１３を参照して本考案の実施例３に係るランプ口金変換ソケット５１について説明する。なお、図１３中の右欄に示すものは電極受体７１ｂ、突出電極５８ｂの説明図である。
【００３３】
本考案の実施例３に係るランプ口金変換ソケット５１は、図１０に示すように、図示しないハロゲンランプ等々のようなねじ込み式ランプ（Ｅ型口金ランプ）と捻回式ランプ（ＨＩＤランプのようなＧＵ型及びＰＧＪ型口金ランプ）５２間の変換を可能とするものであって、ねじ込み口金部６１と、このねじ込み口金部６１と一体化したソケット本体６２とを、略２段円筒状のセラミック等からなる絶縁基体８０を主要素として用い構成している。
すなわち、本実施例３に係るランプ口金変換ソケット５１は、口金部としてねじ込み式の電極部を有するねじ込み式ランプがねじ込まれる実施例１と同様なねじ込み式ソケット５４に対してねじ込み装着する導電材からなるねじ電極６３及び端部電極６４を備えたねじ込み口金部６１を図１０において下部側に具備している。なお、図１０中、５５、５６は、ねじ込み式ソケット５４に給電する通電ケーブルである。
【００３４】
また、本実施例３に係るランプ口金変換ソケット５１のソケット本体６２は、前記ねじ込み口金部６１の上部側において一体的に、かつ、ねじ込み口金部６１より大径に形成されるとともに、前記ねじ込み口金部６１とは反対側に開口する捻回式ランプ５２の形状に対応した形状のランプ受穴６５を有する蓋部材６６と、この蓋部材６６により施蓋される該蓋部材６６と同径の本体部６７とを具備し、蓋部材６６を止金具６８を用いて本体部６７に一体化している。
【００３５】
前記ランプ受穴６５は、図１２に示すように、捻回式ランプ５２のランプ本体から突出させた棒状体５７に設けた一対の突出電極５８ａ、５８ｂの形状に対応して、中央部に円形穴部６９を有し、かつ、この円形穴部６９から１８０度配置した電極挿入穴７０ａ、７０ｂを設けた構成となっている。
【００３６】
前記本体部６７の凹部内には、前記ランプ受穴６５の電極挿入穴７０ａ、７０ｂの下側に位置して、前記捻回式ランプ５２の一対の突出電極５８ａ、５８ｂが差し込み装着可能な一対の弾性を有する導電材からなる一対のコ状の電極受体７１ａ、７１ｂを配置している。
【００３７】
更に、前記一対の電極受体７１ａ、７１ｂのうちの、一方の電極受体７１ａを接続線７２により前記ねじ電極６３に、他方の電極受体７１ｂを接続線７３により前記端部電極６４に各々接続している。
【００３８】
本実施例３に係るランプ口金変換ソケット５１によれば、前記ねじ込み式ソケット５４に対して、このランプ口金変換ソケット５１をねじ込み装着し、更にランプ口金変換ソケット５１に対してＨＩＤランプのよう捻回式ランプ５２を差し込み装着し、この状態で前記通電ケーブル５５、５６からねじ込み式ソケット５４に給電することで、前記捻回式ランプ５２を点灯させることができる。
【００３９】
すなわち、前記ねじ込み式ソケット５４をランプ口金変換ソケット５１を用いることによって捻回式ランプ５２用のソケットに変換することができる。
【００４０】
例えば、前記ねじ込み式ソケット５４に７５ワットのハロゲンランプ等のようなねじ込み式ランプをねじ込んで点灯させる場合に比べて、前記ねじ込み式ソケット５４にランプ口金変換ソケット５１をねじ込み、更に２０ワットのＨＩＤランプのよう捻回式ランプ５２を装着することにより、同じ明るさで電力消費を低減させることが可能となる。
逆に同じ照度を得ようとする場合には捻回式ランプ５２をより小サイズのものとすることができる。
【００４１】
また、前記ランプ口金変換ソケット５１を使用し捻回式ランプ５２を装着した場合においても、その発光部はハロゲンランプの発光部と同位置寸法とすることができ、この結果、前面硝子体を有する照明器具であれば内部構造を変更することなく使用することが可能となる。
【産業上の利用可能性】
【００４２】
本考案は、上述した場合の他、差し込み式ソケットを捻回式ランプ用のソケットに変換したり、捻回式ソケットを差し込み式ランプ用のソケットに変換したり等、種々の応用が可能である。
【図面の簡単な説明】
【００４３】
【図１】本考案の実施例１に係るランプ口金変換ソケットの使用状態を示す概略斜視図である。
【図２】本実施例１に係るランプ口金変換ソケット、差し込み式ランプを分離した状態で示す正面図であるとともに、図中の左欄は右欄とは異なる形状のランプを示す正面図である。
【図３】本実施例１に係るランプ口金変換ソケットの平面図である。
【図４】本実施例１に係るランプ口金変換ソケットの拡大断面図である。
【図５】本考案の実施例２に係るランプ口金変換ソケットの使用状態を示す概略斜視図である。
【図６】本実施例２に係るランプ口金変換ソケットの平面図である。
【図７】本実施例２に係るランプ口金変換ソケットの底面図である。
【図８】本実施例２に係るランプ口金変換ソケットの部分縦断面図である。
【図９】本実施例２に係るランプ口金変換ソケットの図８とは異なる方向から見た部分縦断面図である。
【図１０】本実施例３に係るランプ口金変換ソケットの使用状態を示す概略斜視図である。
【図１１】本実施例３に係るランプ口金変換ソケット、捻回式ランプを分離した状態で示す正面図である。
【図１２】本実施例３に係るランプ口金変換ソケットの平面図である。
【図１３】本実施例３に係るランプ口金変換ソケットの拡大断面図であり、図中の右欄は電極受体７１ｂ、突出電極５８ｂの説明図である。
【符号の説明】
【００４４】
１    ランプ口金変換ソケット
２    差し込み式ランプ
３ａ  電極部
３ｂ  電極部
４    ねじ込み式ソケット
５    通電ケーブル
６    通電ケーブル
１０    絶縁基体
１１    ねじ込み口金部
１２    ソケット本体
１３    ねじ電極
１４    端部電極
１５    ランプ受穴
１６    電極受体
１６ａ  ピン孔
１７    電極受体
１７ａ  ピン孔
１８    接続線
１９    接続線
２１    ランプ口金変換ソケット
２２    差し込み式ランプ
２３    差し込み式ソケット
２５    通電ケーブル
２６    通電ケーブル、
２７    抑えバネ片
３１    差し込み口金部
３２ａ  電極部
３２ｂ  電極部
３３    下部ソケット
３４    ソケット本体
３５    ボルト
３６    ナット
３７    ランプ受穴
３８    電極受体
３９    誘導孔
４０    絶縁基体
４１    受凹部
４２    コイルバネ
５１    ランプ口金変換ソケット
５２    捻回式ランプ
５４    ねじ込み式ソケット
５５    通電ケーブル
５６    通電ケーブル
５７    棒状体
５８ａ  突出電極
５８ｂ  突出電極
６１    ねじ込み口金部
６２    ソケット本体
６３    ねじ電極
６４    端部電極
６５    ランプ受穴
６６    蓋部材
６７    本体部
６８    止金具
６９    円形穴部
７０ａ  電極挿入穴
７０ｂ  電極挿入穴
７１ａ  電極受体
７１ｂ  電極受体
７２    接続線
７３    接続線
８０    絶縁基体
【図１】
0003131129.tif 000003
【図２】
0003131129.tif 000004
【図３】
0003131129.tif 000005
【図４】
0003131129.tif 000006
【図５】
0003131129.tif 000007
【図６】
0003131129.tif 000008
【図７】
0003131129.tif 000009
【図８】
0003131129.tif 000010
【図９】
0003131129.tif 000011
【図１０】
0003131129.tif 000012
【図１１】
0003131129.tif 000013
【図１２】
0003131129.tif 000014
【図１３】
0003131129.tif 000015
【手続補正書】
【提出日】平成19年2月9日(2007.2.9)
【手続補正１】
【補正対象書類名】図面
【補正対象項目名】図１３
【補正方法】変更
【補正の内容】
【図１３】
0003131129.tif 000016